(57)【特許請求の範囲】
【請求項１】
内燃機関と接続した状態でエンジンルームに配置され、前記エンジンルームの外部から吸込んだ空気を内燃機関に供給する吸気ダクトであって、前記エンジンルーム内に配置されたラジエータと前記エンジンルームを覆うボンネットとの間の隙間を通すために扁平に形成された扁平通路部を有する吸気ダクトと、
前記吸気ダクトの扁平通路部に設けられ、前記エンジンルーム内に開口する内気導入口と、
内燃機関の通常運転時には前記内気導入口を閉塞状態に保持し、前記吸気ダクト内の負圧が通常運転時よりも増大したときには前記エンジンルーム内の空気を前記内気導入口から前記吸気ダクト内に導入する負圧調整手段と、
を備えることを特徴とする車両。
【請求項２】
内燃機関と接続した状態でエンジンルームに配置され、前記エンジンルームの外部から吸込んだ空気を内燃機関に供給する吸気ダクトであって、下面に平坦部が設けれられた吸気ダクトと、
前記吸気ダクトの平坦部に設けられた複数の貫通孔により構成され、前記エンジンルーム内に開口する内気導入口と、
内燃機関の通常運転時には前記内気導入口を閉塞状態に保持し、前記吸気ダクト内の負圧が通常運転時よりも増大したときには前記エンジンルーム内の空気を前記内気導入口から前記吸気ダクト内に導入する負圧調整手段と、を備え、
前記負圧調整手段は、前記吸気ダクト内，外の圧力差に応じて前記平坦部上で撓み変形することにより、前記内気導入口を開，閉する可撓性のフラット弁であり、
前記吸気ダクトの平坦部のうち前記内気導入口を構成する各貫通孔の間に位置する部位は、前記フラット弁を閉弁位置で支持する支持部を構成することを特徴とする車両。
【請求項３】
前記内気導入口は、前記エンジンルーム内に配置されたラジエータよりも後側の空間に開口させる構成としてなる請求項１または２に記載の車両。
【請求項４】
前記負圧調整手段は、前記吸気ダクト内，外の圧力差に応じて前記内気導入口を開，閉する自動開閉弁である請求項１に記載の車両。
【請求項５】
前記内気導入口は、前記吸気ダクトの下面に設けられた平坦部に形成し、前記負圧調整手段は、前記吸気ダクト内，外の圧力差に応じて前記平坦部上で撓み変形することにより、前記内気導入口を開，閉する可撓性のフラット弁である請求項１に記載の車両。
【請求項６】
前記内気導入口は、前記吸気ダクトの平坦部に設けられた複数の貫通孔であり、前記平坦部のうち前記各貫通孔の間に位置する部位は、前記フラット弁を閉弁位置で支持する支持部を構成してなる請求項５に記載の車両。
【請求項７】
前記内気導入口の開口面積は、内燃機関の運転中に必要な最大流量の吸入空気を吸込むことが可能な大きさに形成してなる請求項１乃至６のうち何れか１項に記載の車両。
【発明の詳細な説明】
【技術分野】
【０００１】
この発明は、内燃機関が搭載された車両に関し、特に、内燃機関と吸気ダクトがエンジンルームに配置された車両に関する。
【背景技術】
【０００２】
従来、例えば特許文献１（特開２０００−６４９１９号公報）に開示されているように、内燃機関の吸気通路を２つのダクトにより構成した吸気装置が知られている。この種の従来技術による吸気装置は、第１ダクトと第２ダクトとからなる吸気通路を備えており、第２ダクトには、これを開，閉するリードバルブが設けられている。
【０００３】
そして、機関運転中の吸気流速が低いときには、リードバルブにより第２ダクトを遮断した状態で、第１ダクトから空気を吸込むことにより、吸気騒音を低減する。また、吸気流速が高いときには、第１，第２ダクトの両方から空気を吸込むことにより、吸気効率を向上させるようにしている。
【０００４】
【特許文献１】特開２０００−６４９１９号公報
【発明の開示】
【発明が解決しようとする課題】
【０００５】
ところで、上述した従来技術では、例えば寒冷地における降雪中の走行時などに、走行風と共に吹付ける雪が吸気ダクトの開口部に付着したり、詰まることがある。これにより、吸気ダクトの開口面積が減少すると、吸気抵抗が増大することになり、その結果として吸気ダクト内の負圧が通常運転時よりも大きくなる。
【０００６】
しかしながら、吸気ダクトの周壁は、軽量化を図るために薄板状の樹脂や金属等により形成されていることが多い。このため、吸気ダクト内の負圧が過大になると、この負圧に抗しきれずにダクトが潰れてしまうことがある。そして、吸気ダクトが潰れた場合には、吸気抵抗が更に増大して吸入空気量が制限されるようになるので、内燃機関の出力が低下するという問題がある。
【０００７】
この発明は、上述のような課題を解決するためになされたもので、何らかの理由により吸気ダクトが詰まった場合でも、ダクト内の負圧が過大になるのを回避することができ、また内燃機関に対して十分な量の吸入空気を確保することが可能な車両を提供することを目的としている。
【課題を解決するための手段】
【０００８】
第１の発明は、内燃機関と接続した状態でエンジンルームに配置され、前記エンジンルームの外部から吸込んだ空気を内燃機関に供給する吸気ダクトと、
前記吸気ダクトに設けられ、前記エンジンルーム内に開口する内気導入口と、
内燃機関の通常運転時には前記内気導入口を閉塞状態に保持し、前記吸気ダクト内の負圧が通常運転時よりも増大したときには前記エンジンルーム内の空気を前記内気導入口から前記吸気ダクト内に導入する負圧調整手段と、
を備えることを特徴とする。
【０００９】
第２の発明によると、前記内気導入口は、前記エンジンルーム内に配置されたラジエータよりも後側の空間に開口させる構成としている。
【００１０】
第３の発明によると、前記吸気ダクトは、前記エンジンルーム内に配置されたラジエータと前記エンジンルームを覆うボンネットとの間の隙間を通すために扁平に形成された扁平通路部を備え、
前記内気導入口は、前記吸気ダクトの扁平通路部に配置する構成としている。
【００１１】
第４の発明によると、前記負圧調整手段は、前記吸気ダクト内，外の圧力差に応じて前記内気導入口を開，閉する自動開閉弁である構成としている。
【００１２】
第５の発明によると、前記内気導入口は、前記吸気ダクトの下面に設けられた平坦部に形成し、前記負圧調整手段は、前記吸気ダクト内，外の圧力差に応じて前記平坦部上で撓み変形することにより、前記内気導入口を開，閉する可撓性のフラット弁である構成としている。
【００１３】
第６の発明によると、前記内気導入口は、前記吸気ダクトの平坦部に設けられた複数の貫通孔であり、前記平坦部のうち前記各貫通孔の間に位置する部位は、前記フラット弁を閉弁位置で支持する支持部を構成している。
【００１４】
第７の発明によると、前記内気導入口の開口面積は、内燃機関の運転中に必要な最大流量の吸入空気を吸込むことが可能な大きさに形成する構成としている。
【発明の効果】
【００１５】
第１の発明によれば、吸気ダクトの詰まりが生じていない通常運転時には、負圧調整手段により内気導入口を閉塞しておくことができる。この状態で、吸気ダクトは、エンジンルームの外部から空気を吸込むことができる。一方、吸気ダクトの吸込側が異物などにより詰まったときには、ダクト内の負圧が通常運転時と比べて増大する。このとき、負圧調整手段は、エンジンルーム内の空気を内気導入口から吸気ダクトに導入することができ、ダクト内に過大な負圧が生じるのを回避することができる。これにより、車両の運転中に吸気ダクトが詰まったとしても、過大な負圧が生じて吸気ダクトが潰れるのを確実に防止することができる。
【００１６】
また、ダクトの詰まりが生じたときには、エンジンルーム内の空気を吸入空気として内燃機関に供給することができる。これにより、内燃機関は、十分な吸入空気量を確保することができるから、吸気ダクトが詰まった状態でも通常運転時と同様の出力を維持することができる。しかも、エンジンルーム内の空気には、外気のように雪などが混ざる心配がないので、吸気ダクトが詰まるような走行環境でも、内気導入口からの吸気は確実かつ安定的に行うことができる。従って、降雪時の走行などを円滑に行うことができ、車両の環境適応性や信頼性を高めることができる。
【００１７】
第２の発明によれば、吸気ダクトが詰まったときには、内気導入口によりラジエータの後側からダクト内に空気を吸込むことができる。従って、例えば降雪中の走行時のように、雪などの異物がフロントグリルを通過してエンジンルーム内に入り込む場合でも、この異物が内気導入口に吸込まれるのをラジエータによって遮断することができる。これにより、内気導入口からの吸気動作を更に安定させることができる。
【００１８】
第３の発明によれば、吸気ダクトの一部を扁平通路部として形成することにより、ボンネットが低い車両に対しても吸気ダクトを容易に搭載することができる。そして、このようなダクト形状であっても、負圧で潰れ易い扁平通路部に内気導入口を設けることにより、扁平通路部を過大な負圧から確実に保護することができ、吸気ダクトの耐久性を高めることができる。
【００１９】
第４の発明によれば、吸気ダクト内の負圧が通常状態であり、エンジンルーム内との圧力差が比較的小さいときには、自動開閉弁により内気導入口を閉塞しておくことができる。また、吸気ダクト内の負圧が過大となり、エンジンルーム内との圧力差が増大したときには、自動開閉弁により内気導入口を開放することができる。これにより、車両の運転中に吸気ダクトが詰まったとしても、過大な負圧が生じて吸気ダクトが潰れるのを確実に防止することができる。
【００２０】
第５の発明によれば、吸気ダクト内，外の圧力差が小さいときには、フラット弁を自重により閉弁させておくことができる。このため、保持ばね等の部品を用いなくても、閉弁状態を安定的に維持することができる。また、フラット弁の閉弁時には、吸気ダクトの平坦部とフラット弁との間で内気導入口を確実に閉塞することができる。これにより、フラット弁の弁座となる部品等を取付けたりしなくても、吸気ダクトの平坦部を弁座として用いることができる。従って、フラット弁を用いることにより負圧調整手段の部品点数を削減することができ、その構造を簡略化することができる。
【００２１】
第６の発明によれば、内気導入口を複数の貫通孔により構成しているので、フラット弁の閉弁時には、吸気ダクトの平坦部だけでなく、各貫通孔の間に位置する支持部によってもフラット弁を支持することができる。これにより、フラット弁が内気導入口内に落込むのを確実に防止でき、閉弁動作を更に安定させることができる。
【００２２】
第７の発明によれば、内気導入口には、内燃機関の運転中に必要な最大流量の吸入空気を吸込むことが可能な開口面積をもたせることができる。従って、仮りに吸気ダクトの吸込側が完全に詰まったとしても、ダクト内には、内気導入口のみでも運転に十分な量の吸入空気を吸込むことができ、車両を円滑に運転し続けることができる。
【発明を実施するための最良の形態】
【００２３】
実施の形態１．
［実施の形態１の構成］
以下、図１乃至図４を参照して、本発明の実施の形態１について説明する。まず、図１は、本実施の形態による車両のフロント部分を示す説明図である。なお、本実施の形態では、セダン型の車両を例に挙げて説明するが、本発明はこれに限定されるものではない。
【００２４】
車両１０のフロント部分にはボンネット１２が配置されており、このボンネット１２はエンジンルーム１４を上側から覆っている。エンジンルーム１４の前側には、通気性を有するフロントグリル１６が設けられている。エンジンルーム１４内には、車両１０の動力源となる内燃機関１８と、エンジン冷却水を循環させることにより内燃機関１８を冷却するラジエータ２０とが収容されている。
【００２５】
ラジエータ２０は、エンジンルーム１４の前部側に配置されている。車両の走行時には、ラジエータ２０の冷却効率が高くなるように、走行風がフロントグリル１６等を通じてラジエータ２０の位置に流入する構成となっている。ラジエータ２０の後側には、内燃機関１８との間に位置して空間Ｓが設けられ、この空間Ｓには冷却ファン２２等が配置されている。また、エンジンルーム１４内には、トランスミッション２４、エアクリーナ２６，２８等からなる他の機器も収容されている。
【００２６】
図２は、エンジンルーム内を上側からみた説明図である。内燃機関１８は、例えばＶ型の８気筒エンジンにより構成され、左バンク１８Ａと右バンク１８Ｂとを有している。左，右のバンク１８Ａ，１８Ｂの上面部には、内燃機関１８の吸入空気を清浄化するエアクリーナ２６，２８がそれぞれ配置されている。
【００２７】
エアクリーナ２６，２８の流入側には、エンジンルーム１４の外部から吸込んだ空気を内燃機関１８に供給する吸気ダクト３０が接続されている。また、左エアクリーナ２６の流出側は、インテークマニホールド（図示せず）等を介して左バンク１８Ａの各気筒の吸気ポートに接続されている。右エアクリーナ２８の流出側も同様に、右バンク１８Ｂの各気筒に接続されている。
【００２８】
吸気ダクト３０は、例えば板状の樹脂材料、金属材料等からなり、平面視において略Ｙ字状に形成されている。また、吸気ダクト３０は、左エアクリーナ２６の流入側に接続された左通路部３０Ａと、右エアクリーナ２８の流入側に接続された右通路部３０Ｂと、これらの通路部３０Ａ，３０Ｂを上流側で合流させるように接続された扁平通路部３０Ｃとを備えている。
【００２９】
扁平通路部３０Ｃの下流側は、左通路部３０Ａと右通路部３０Ｂとが合流する部位に接続された接続部３０Ｄとなり、この接続部３０Ｄは、内燃機関１８とラジエータ２０との間に設けられた空間Ｓの上側に位置している。また、扁平通路部３０Ｃの上流側は、ボンネット１２とラジエータ２０の上端部との間に設けられた扁平な隙間（図１中の間隔Ｄ）を通ってエンジンルーム１４の外部（ラジエータ２０の前側）に伸張している。
【００３０】
そして、扁平通路部３０Ｃの上流側端部には、エンジンルーム１４の外部に開口した外気導入口３２が設けられている。内燃機関１８の運転時には、外気導入口３２から吸気ダクト３０内に外気が流入し、この外気は、吸入空気となって左，右の通路部３０Ａ，３０Ｂとエアクリーナ２６，２８とを流通した後に、内燃機関１８の各バンク１８Ａ，１８Ｂにそれぞれ吸込まれる。
【００３１】
次に、吸気ダクト３０の断面形状について説明する。まず、左通路部３０Ａと右通路部３０Ｂは、扁平通路部３０Ｃよりもエアクリーナ２６，２８の近傍に位置している。この位置では、ボンネット１２と内燃機関１８との間に比較的大きな上，下方向のスペースを確保し易い。このため、左通路部３０Ａと右通路部３０Ｂの断面形状は、上，下方向及び左，右方向にある程度の太さ寸法をもって形成されており、吸気ダクト３０内に負圧が生じた場合でも、比較的潰れ難い形状となっている。
【００３２】
これに対し、図３及び図４は、扁平通路部３０Ｃの断面形状を示している。これらの図に示すように、扁平通路部３０Ｃの断面形状は、上，下方向の厚さ寸法が左，右方向の幅寸法よりも小さく設定され、上，下方向に対して扁平に形成されている。
【００３３】
ここで、車両の設計時には、空力特性等を考慮してボンネット１２の高さ位置を低くすることがあり、このような車両では、ボンネット１２とラジエータ２０との間の間隔Ｄ（図１）が小さくなる。このため、本実施の形態では、吸気ダクト３０のうち間隔Ｄを通す部分を扁平通路部３０として形成することにより、ボンネット１２が低い車両に対しても吸気ダクト３０を搭載し易い構成としている。
【００３４】
しかしながら、このような構成の吸気ダクト３０は、例えば外気導入口３２に異物などが詰まることによりダクト内の負圧が増大した場合に、扁平通路部３０Ｃの位置で潰れ易くなる。そこで、本実施の形態では、吸気ダクト３０に内気導入口３４と負圧調整弁３６とを設け、上述のような場合における扁平通路部３０Ｃの潰れを回避する構成としている。以下、これらの構成について説明する。
【００３５】
内気導入口３４は、吸気ダクト３０内の負圧が過大となって負圧調整弁３６が開弁したときに、エンジンルーム１４内の空気を吸気ダクト３０内に導入するものである。内気導入口３４は、例えば吸気ダクト３０の扁平通路部３０Ｃのうち、接続部３０Ｄまたはその近傍に設けられ、エンジンルーム１４内でラジエータ２０の後側となる空間Ｓ（図１）に開口している。
【００３６】
また、内気導入口３４は、例えばメッシュ状に並んだ複数の貫通孔３４Ａからなり、扁平通路部３０Ｃの下面に設けられた平坦部３０Ｅに配置されている。そして、平坦部３０Ｅのうち各貫通孔３４Ａの間に位置する部位は、負圧調整弁３６を閉弁位置で支持する支持部３０Ｆを構成している。また、各貫通孔３４Ａを合わせた内気導入口３４全体の開口面積は、内燃機関１８の運転中に必要とされる最大流量の吸入空気を吸込むことが可能な大きさに形成されており、好ましくは、例えば吸気ダクト３０の断面積とほぼ等しい大きさを有している。
【００３７】
一方、負圧調整弁３６は、吸気ダクト３０の内，外の圧力差に応じて内気導入口３４を開，閉する自動開閉型のフラット弁であり、本実施の形態の負圧調整手段を構成している。また、負圧調整弁３６は、例えばシート状のゴム、樹脂材料、金属材料等からなり、厚さ方向に対する可撓性を有している。
【００３８】
負圧調整弁３６は、固定具３８により吸気ダクト３０の平坦部３０Ｅの上面側に固定され、閉弁状態において内気導入口３４を上側から覆っている。この場合、固定具３８は、吸入空気の流れ方向において、負圧調整弁３６の上流側部位を平坦部３０Ｅに固定しており、負圧調整弁３６の下流側部位は自由端となっている。この自由端側は、図３中に仮想線で示すように、吸気ダクト３０の内，外の圧力差に応じて厚さ方向に撓み変形する。これにより、負圧調整弁３６は、吸気ダクト３０の平坦部３０Ｅ（支持部３０Ｆ）に対して離，着座し、内気導入口３４を開，閉する。
【００３９】
また、負圧調整弁３６の重量、撓み易さ等は、フラット弁としての開閉動作が適切なタイミングで行われるように予め設定されている。このため、負圧調整弁３６は、内燃機関１８の通常運転で生じ得る最大の負圧が吸気ダクト３０内に生じたとしても、自重によって閉弁位置に留まり、内気導入口３４を閉塞した状態に保持する。そして、負圧調整弁３６は、吸気ダクト３０内の負圧が通常運転における前記最大の負圧よりも増大したときに、撓み変形して開弁するものである。
【００４０】
［本実施の形態のシステム動作］
本実施の形態による車両は上述の如き構成を有するもので、次に、負圧調整弁３６等の作動について説明する。
【００４１】
（通常運転時）
まず、吸気ダクト３０の詰まりが生じていない通常の運転状態において、車両の運転中には、外気導入口３２から吸気ダクト３０内に外気が取込まれる。この外気は、吸気ダクト３０の扁平通路部３０Ｃと各通路部３０Ａ，３０Ｂとを通じてエアクリーナ２６，２８に到達し、エアクリーナ２６，２８を通過することにより清浄化される。そして、清浄化された空気は、内燃機関１８の各気筒に吸入空気として吸込まれ、燃料と共に各気筒内で燃焼される。
【００４２】
このとき、吸気ダクト３０内には吸気負圧が生じるが、この負圧は通常運転で生じ得る圧力の範囲内で変化する。従って、負圧調整弁３６のうち、吸気ダクト３０内に面した上面側と、内気導入口３４を介してエンジンルーム１４内に面した下面側との間には、負圧調整弁３６を撓み変形させるほど大きな圧力差は生じない。
【００４３】
このため、負圧調整弁３６は、自重により吸気ダクト３０の平坦部３０Ｅ（支持部３０Ｆ）に着座した状態を維持し、内気導入口３４は、負圧調整弁３６により閉塞された状態に保持される。従って、吸気ダクト３０は、外気導入口３２のみから外気を吸込むことにより、通常の吸気動作を行うことができる。
【００４４】
このように、本実施の形態では、吸気ダクト３０の下面に平坦部３０Ｅを形成し、この平坦部３０Ｅの上面側にフラット弁からなる負圧調整弁３６を配置している。このため、吸気ダクト３０の内，外の圧力差が小さいときには、負圧調整弁３６を自重により閉弁させておくことができる。そして、閉弁時には、負圧調整弁３６と平坦部３０Ｅとの間で内気導入口３４を確実に閉塞することができる。従って、通常の運転時には、保持ばね等の部品を用いなくても、負圧調整弁３６の閉弁状態を安定的に維持することができる。
【００４５】
また、負圧調整弁３６としてフラット弁を用いることにより、その弁座となる部品等を取付けたりしなくても、吸気ダクト３０の平坦部３０Ｅを弁座として用いることができる。しかも、内気導入口３４を複数の貫通孔３４Ａにより構成しているので、閉弁時には、平坦部３０Ｅだけでなく、各貫通孔３４Ａの間に位置する支持部３０Ｆによっても負圧調整弁３６を支持することができる。これにより、負圧調整弁３６が内気導入口３４内に落込むのを確実に防止でき、閉弁動作を更に安定させることができる。
【００４６】
このように、負圧調整弁３６によれば、フラット弁の特徴を活かして負圧調整機構の部品点数を削減することができ、その構造を簡略化することができる。また、負圧調整弁３６を扁平通路部３０Ｃに配置することにより、これら全体をコンパクトにまとめることができる。この場合、負圧調整弁３６は、扁平通路部３０Ｃから外側に食み出して周囲の車載構造物等と干渉することがないので、例えばボンネット１２が低い車両への搭載時には、扁平通路部３０Ｃと負圧調整弁３６とを車両側の扁平な配置スペースに対して容易に配置することができる。
【００４７】
また、負圧調整弁３６は薄形なフラット弁であり、吸気抵抗を増大させることが殆どないので、扁平通路部３０Ｃ内への配置を容易に行うことができる。さらに、本実施の形態では、負圧調整弁３６の上流側部位を吸気ダクト３０に固定し、当該弁の下流側部位を開，閉させる構成としたので、負圧調整弁３６の閉弁時には、吸入空気の流れにより負圧調整弁３６が捲れ上がって勝手に開弁するのを防止することができる。
【００４８】
（ダクトの詰まり発生時）
例えば降雪中の走行時において、雪などの異物が外気導入口３２が詰まったときには、外気導入口３２の開口面積が減少する。このため、吸気ダクト３０内には、通常運転で生じ得る圧力の範囲を超えた過大な負圧が生じるようになり、特に高出力運転時には負圧が極端に大きくなる。この結果、吸気ダクト３０内とエンジンルーム１４内との間、即ち、負圧調整弁３６の上面側と下面側との間には大きな圧力差が生じる。
【００４９】
これにより、負圧調整弁３６は、上記圧力差に応じて厚さ方向に撓み変形し、吸気ダクト３０の平坦部３０Ｅ等から離座して開弁する。この開弁動作により、負圧調整弁３６は、内気導入口３４を開放することができる。そして、エンジンルーム１４内の空気を吸気負圧により内気導入口３４から吸気ダクト３０に導入することができる。この結果、吸気ダクト３０内の負圧が減少するので、ダクト内に過大な負圧が生じるのを回避することができ、吸気ダクト３０が過大な負圧により潰れるのを確実に防止することができる。
【００５０】
また、吸気ダクト３０の詰まりが生じたときには、エンジンルーム１４内の空気を吸入空気として内燃機関１８に供給することができる。これにより、内燃機関１８は、十分な吸入空気量を確保することができるから、吸気ダクト３０が詰まった状態でも通常運転時と同様の出力を維持することができる。
【００５１】
しかも、エンジンルーム１４内の空気には、外気のように雪などが混ざる心配がないので、吸気ダクト３０が詰まるような走行環境でも、内気導入口３４からの吸気は確実かつ安定的に行うことができる。特に、内気導入口３４は、エンジンルーム１４内でラジエータ２０の後側となる空間Ｓに開口している。このため、外気導入口３２が詰まったときには、ラジエータ２０の後側から内気導入口３４に空気を吸込むことができる。
【００５２】
従って、例えば降雪中の走行時のように、雪などの異物がフロントグリル１６を通過してエンジンルーム１４内に入り込む場合でも、この異物が内気導入口３４に吸込まれるのをラジエータ２０によって遮断することができる。これにより、内気導入口３４からの吸気動作を更に安定させることができる。
【００５３】
また、外気導入口３２が完全に詰まったとしても、内気導入口３４は、前述したように十分な開口面積を有している。このため、吸気ダクト３０内には、内気導入口３４のみでも内燃機関１８の運転に必要な最大流量の吸入空気を吸込むことができる。従って、外気導入口３２が機能しない状態でも、車両を円滑に運転し続けることができ、降雪時の走行等に対する車両の環境適応性や信頼性を高めることができる。
【００５４】
なお、車両の走行中には、エンジンルーム１４内の空気が外気と比べて高い温度となる。しかし、吸気ダクト３０に雪が詰まるような走行環境では、外気温が十分に低い温度であるから、エンジンルーム１４内の空気も吸入空気として十分に低温状態であると考えられ、これを用いて内燃機関を円滑に運転することができる。
【００５５】
さらに、例えば雪が融けることにより外気導入口３２の詰まりが解消された場合には、吸気ダクト３０内の負圧が通常のレベルまで低下するので、負圧調整弁３６は、自重により閉弁状態に戻る。このように、異常な状態が解消されたときには、車両の運転者等が特別な復帰動作を行わなくても、負圧調整弁３６を自動的に閉弁させることができ、吸気系を通常の状態にスムーズに復帰させることができる。
【００５６】
（レイアウト上の特徴）
本実施の形態では、吸気ダクト３０の一部に扁平通路部３０を設け、例えばボンネット１２が低い車両でも吸気ダクト３０の搭載が容易となるようにしている。そして、このようなダクト形状であっても、負圧で潰れ易い扁平通路部３０Ｃに内気導入口３４と負圧調整弁３６とを設けることにより、扁平通路部３０Ｃを過大な負圧から確実に保護することができ、吸気ダクト３０の耐久性を高めることができる。
【００５７】
また、内気導入口３４と負圧調整弁３６とは、Ｖ８型の内燃機関１８において、吸気ダクト３０の左通路部３０Ａと右通路部３０Ｂとが合流する接続部３０Ｄ（またはその近傍）に配置されている。これにより、左バンク１８Ａ用の負圧調整構造と、右バンク１８Ｂ用の負圧調整構造とを一箇所にまとめて配置することができ、これらの構造を簡略化することができる。
【００５８】
なお、前記実施の形態では、負圧調整手段として、フラット弁からなる負圧調整弁３６を用いる構成とした。しかし、本発明はこれに限らず、例えばダイヤフラム型の圧力調整弁、電磁弁等からなる他の弁機構を用いる構成としてもよい。
【００５９】
また、実施の形態では、Ｖ８型の内燃機関１８を例に挙げて述べたが、本発明はこれに限らず、直列、並列、水平対向型などの内燃機関や、任意の気筒数をもつ内燃機関を搭載した車両に広く適用することができる。
【図面の簡単な説明】
【００６０】
【図１】本発明の実施の形態１による車両のフロント部分を示す説明図である。
【図２】図１のエンジンルームを上側からみた説明図である。
【図３】吸気ダクトの扁平通路部、内気導入口及びフラット弁を長さ方向に破断して示す縦断面図である。
【図４】吸気ダクトの扁平通路部、内気導入口及びフラット弁を長さ方向と垂直に破断して示す横断面図である。
【符号の説明】
【００６１】
１０  車両
１２  ボンネット
１４  エンジンルーム
１６  フロントグリル
１８  内燃機関
１８Ａ，１８Ｂ  左，右のバンク
２０  ラジエータ
２２  冷却ファン
２４  トランスミッション
２６，２８  エアクリーナ
３０  吸気ダクト
３０Ａ  左通路部
３０Ｂ  右通路部
３０Ｃ  扁平通路部
３０Ｄ  接続部
３０Ｅ  平坦部
３０Ｆ  支持部
３２  外気導入口
３４  内気導入口
３４Ａ  貫通孔
３６  負圧調整弁（負圧調整手段）
３８  固定具
Ｓ  空間
Ｄ  間隔
【図１】
0004784610.tif 000002
【図２】
0004784610.tif 000003
【図３】
0004784610.tif 000004
【図４】
0004784610.tif 000005